(57)【要約】【課題】媒体送り手段と媒体規制手段とを、相互に影響を及ぼすことなく精度良く取り付けることができる。【解決手段】送り経路Ｒに沿って送られていく記録媒体に、インクジェット方式で画像を記録するインクジェットヘッド８３と、インクジェットヘッド８３に対し送り経路Ｒを挟んで対面し、インクジェットヘッド８３との間に所定の間隔を存するように記録媒体を位置規制する媒体規制部材９５と、媒体規制部材９５の送り経路Ｒ下流側に配設され、記録媒体を送り経路Ｒに沿って送る媒体送り手段９６ａ、９９と、インクジェットヘッド８３、媒体規制部材９５および媒体送り手段９６ａ、９９を支持する装置フレーム６４と、を備え、媒体規制部材９５と媒体送り手段９６ａ、９９とは、装置フレーム６４に個別に取り付けられている。【選択図】図６
2012101501.tif 000002
【特許請求の範囲】
【請求項１】
送り経路に沿って送られていく記録媒体に、インクジェット方式で画像を記録する画像記録手段と、
前記画像記録手段に対し前記送り経路を挟んで対面し、前記画像記録手段との間に所定の間隔を存するように前記記録媒体を位置規制する媒体規制手段と、
前記媒体規制手段の前記送り経路下流側に配設され、前記記録媒体を前記送り経路に沿って送る媒体送り手段と、
前記画像記録手段、前記媒体規制手段および前記媒体送り手段を支持する装置フレームと、を備え、
前記媒体規制手段と前記媒体送り手段とは、前記装置フレームに個別に取り付けられていることを特徴とする画像記録装置。
【請求項２】
前記媒体送り手段は、前記装置フレームに回転自在に支持され、前記記録媒体に転接する駆動ローラーと、
前記駆動ローラーに対峙し前記記録媒体に転接する従動ローラー、および前記従動ローラーを回転自在に支持すると共に前記装置フレームに取り付けられたローラーフレームを含むローラーアッセンブリーと、を有していることを特徴とする請求項１に記載の画像記録装置。
【請求項３】
前記ローラーアッセンブリーは、前記ローラーフレームに回転自在に支持され、前記記録媒体を前記駆動ローラーと前記従動ローラーとの間に導くガイドローラーを、更に含んでいることを特徴とする請求項２に記載の画像記録装置。
【請求項４】
前記駆動ローラーは、ローラー軸と、軸方向に相互に間隔を存して前記ローラー軸に軸着した複数のローラー本体と、を有し、
前記装置フレームは、前記各間隔において前記ローラー軸を回転自在に支持する複数の軸受け部を有していることを特徴とする請求項２または３に記載の画像記録装置。
【請求項５】
前記装置フレームは、一体成形された樹脂で構成されていることを特徴とする請求項４に記載の画像記録装置。
【請求項６】
前記媒体規制手段および前記ローラーアッセンブリーは、前記記録媒体の送り方向に直交する方向の両端部で前記装置フレームにそれぞれ固定され、
且つ前記媒体規制手段の固定位置に対し、前記ローラーアッセンブリーの固定位置の少なくとも一方が外側に位置していることを特徴とする請求項２ないし４のいずれかに記載の画像記録装置。
【請求項７】
請求項１ないし６のいずれかに記載の画像記録装置と、
読取媒体の画像を読み取る画像読取装置と、を一体に備えたことを特徴とする複合機。
【発明の詳細な説明】
【技術分野】
【０００１】
本発明は、記録媒体にインクジェット方式で画像を記録する画像記録装置およびこれを備えた複合機に関するものである。
【背景技術】
【０００２】
従来、この種の画像記録装置として、シート（記録媒体）を記録ヘッドに向かって給送する搬送ローラー対と、記録ヘッドと対向し搬送されていく記録媒体の非記録面を保持するプラテン（媒体規制手段）と、記録ヘッドの下流側近傍に配設され、シートを搬送する排紙ローラーと、排紙ローラーとの間でシートを挟むように転接して従動する拍車と、拍車を回転自在に支持する拍車ホルダーと、を備えたものが知られている（特許文献１参照）。この場合、排紙ローラーおよび拍車は、前後２組設けられており、この２組の排紙ローラーおよび拍車によって、プラテン上のシートに適度な張りを与えつつ装置外部に排出できるようになっている。
【先行技術文献】
【特許文献】
【０００３】
【特許文献１】特開２００７−１５２７３５号
【発明の概要】
【発明が解決しようとする課題】
【０００４】
ところで、このような従来の画像記録装置では、ジャミング防止の観点からプラテンと、排紙ローラーおよび拍車とが近接して設けられており、プラテン、排紙ローラーおよび拍車をアッセンブリー化して、装置フレームに搭載すること一般的である。すなわち、駆動ローラーである排紙ローラーは、ギア列との関係で装置フレームに回転自在に支持し、拍車ホルダーとプラテンを一体化しこれに拍車を組み込んでアッセンブリー化することが考えられる。そして、駆動ローラーである排紙ローラーと従動ローラーである拍車の位置精度を出すべく、拍車ホルダーの両端部を計３点の支持にて装置フレームにねじ止めすることが考えられる。
しかしながら、このような構成では、３点支持により排紙ローラーと拍車の位置精度は高められるが、ネジ止めにより拍車ホルダーが幅方向にて撓み、これに一体に形成したプラテンも撓むことになる。プラテンが撓むと、シート（記録媒体）の高さ位置が変化し、記録ヘッドと、これに対峙するシートとのギャップが変化し、所定のギャップで記録処理を行うことができない問題が生じる。
【０００５】
本発明は、媒体送り手段と媒体規制手段とを、相互に影響を及ぼすことなく精度良く取り付けることができる画像記録装置およびこれを備えた複合機を提供することを課題としている。
【課題を解決するための手段】
【０００６】
本発明の画像記録装置は、送り経路に沿って送られていく記録媒体に、インクジェット方式で画像を記録する画像記録手段と、画像記録手段に対し送り経路を挟んで対面し、画像記録手段との間に所定の間隔を存するように記録媒体を位置規制する媒体規制手段と、媒体規制手段の送り経路下流側に配設され、記録媒体を送り経路に沿って送る媒体送り手段と、画像記録手段、媒体規制手段および媒体送り手段を支持する装置フレームと、を備え、媒体規制手段と媒体送り手段とは、装置フレームに個別に取り付けられていることを特徴とする。
【０００７】
この構成によれば、媒体規制手段と媒体送り手段とを、装置フレームに個別に取り付けるようにしているため、媒体規制手段の取り付けが媒体送り手段に取付精度に影響を及ぼすことがなく、また媒体送り手段の取り付けが媒体規制手段の取付精度に影響を及ぼすことがない（無用な撓み等が生ずることがない）。すなわち、媒体規制手段と媒体送り手段とを、相互に影響を及ぼすことなく、精度良く取り付けることができる。特に、媒体規制手段を精度良く取り付けることで、画像記録手段と媒体規制手段との間の間隔（ギャップ）を安定させることができ、所望の記録品質を高く維持することができる。
【０００８】
この場合、媒体送り手段は、装置フレームに回転自在に支持され、記録媒体に転接する駆動ローラーと、駆動ローラーに対峙し記録媒体に転接する従動ローラー、および従動ローラーを回転自在に支持すると共に装置フレームに取り付けられたローラーフレームを含むローラーアッセンブリーと、を有していることが好ましい。
【０００９】
これらの構成によれば、駆動ローラーを装置フレームに精度良く取り付けることができるだけでなく、駆動ローラーに対し従動ローラーを精度良く取り付けることができる。したがって、記録媒体の斜行等を有効に防止することができる。
【００１０】
また、ローラーアッセンブリーは、ローラーフレームに回転自在に支持され、記録媒体を駆動ローラーと従動ローラーとの間に導くガイドローラーを、更に含んでいることが好ましい。
【００１１】
この構成によれば、ガイドローラーを設けることで、湿潤した記録媒体の反りによる紙詰まりを抑制し、記録媒体を適切に排出することができる。また、ガイドローラーを含んでアッセンブリー化することで、ガイドローラーと従動ローラーとの相互間の位置精度を向上させることができる。
【００１２】
一方、駆動ローラーは、ローラー軸と、軸方向に相互に間隔を存してローラー軸に軸着した複数のローラー本体と、を有し、装置フレームは、各間隔においてローラー軸を回転自在に支持する複数の軸受け部を有していることが好ましい。
【００１３】
これらの構成によれば、複数の軸受け部により、ローラー軸を、複数箇所で回転自在に支持することができるため、複数のローラー本体をブレ無く回転させることができ、記録媒体を適切に送り出すことができる。また、装置フレームが軸受け部を有しているため、部品点数を削減することできると共に、この部分の構造を単純化することができる。
【００１４】
この場合、装置フレームは、一体成形された樹脂で構成されていることが好ましい。
【００１５】
この構成によれば、複数の軸受け部を、簡単且つ精度良く形成することができる。
【００１６】
この場合、媒体規制手段およびローラーアッセンブリーは、記録媒体の送り方向に直交する方向の両端部で装置フレームにそれぞれ固定され、且つ媒体規制手段の固定位置に対し、ローラーアッセンブリーの固定位置の少なくとも一方が外側に位置していることが好ましい。
【００１７】
この構成によれば、媒体規制手段の固定位置と、ローラーアッセンブリーの固定位置とを、送り方向に直交する方向に位置ズレさせることができるため、ローラーアッセンブリーの取付けによる媒体規制手段への影響を、更に抑制することができる。また、媒体規制手段の固定位置を、内側に位置させるので、外側に位置させるのに対し媒体規制手段の剛性を向上することができ、規制面の歪みを抑制することができる。
【００１８】
本発明の複合機は、上記の画像記録装置と、読取媒体の画像を読み取る画像読取装置と、を一体に備えたことを特徴とする。
【００１９】
この構成によれば、画像記録手段と媒体規制手段との間のギャップを安定させることができる画像記録装置により、画像読取装置で読み取った画像も品質良く記録することができる。
【図面の簡単な説明】
【００２０】
【図１】第１実施形態に係る複合機を示した外観斜視図である。
【図２】スキャナーユニットを開放状態とした際の複合機を示した斜視図である。
【図３】複合機を示した側面視断面図である。
【図４】スキャナーユニットの内部構造を示した斜視図である。
【図５】プリンターユニットの内部構造を示した平面図である。
【図６】プリンターユニットの内部構造を示した側面視断面図である。
【図７】媒体規制部材周りを示した斜視図である。
【図８】媒体規制部材周りを示した分解斜視図である。
【発明を実施するための形態】
【００２１】
以下、添付した図面を参照して、本発明の画像記録装置を適用した複合機１について説明する。図１は、複合機１を示した外観斜視図である。図１に示すように、複合機１は、装置本体であるプリンターユニット（画像記録装置）２と、プリンターユニット２の上部に配設されたアッパーユニットであるスキャナーユニット（画像読取装置）３と、を一体に備えている。なお、以下、図１においての前後方向をＸ軸方向とし、左右方向をＹ軸方向として説明する。
【００２２】
図２は、スキャナーユニット３を開放状態とした複合機１を示した斜視図である。図１および図２に示すように、スキャナーユニット３は、後端部のヒンジ部４を介してプリンターユニット２に回動自在に支持されており、プリンターユニット２の上部を開閉自在に覆っている。すなわち、スキャナーユニット３を回動方向に引き上げることで、プリンターユニット２の上面開口部１０を露出させ、当該上面開口部１０を介して、プリンターユニット２の内部が露出させる（開放状態：図２参照）。一方、スキャナーユニット３を回動方向に引き降ろし、プリンターユニット２上に載置することで、スキャナーユニット３によって上面開口部１０を閉塞する（閉塞状態：図１参照）。このように、スキャナーユニット３を開放することで、インクカートリッジ８４の交換や紙詰まりの解消等が可能な構成となっている。
【００２３】
図３は、複合機１を示した側面視断面図である。図２および図３に示すように、スキャナーユニット３は、筐体であるアッパーフレーム１１と、アッパーフレーム１１に収容された画像読取部１２（図４参照）と、アッパーフレーム１１の上部に回動自在に支持された上蓋１３と、を備えている。また、詳細は後述するが、アッパーフレーム１１の後端部には、上記ヒンジ部４のスキャナーユニット３側の部品が設けられている。
【００２４】
図４は、スキャナーユニット３の内部構造を示した斜視図である。図３および図４に示すように、アッパーフレーム１１は、画像読取部１２を収容する箱型の下ケース１６と、下ケース１６の天面を覆う上ケース１７と、を備えている。上ケース１７には、ガラス製の原稿載置板（原稿台）２１が広く配設されており、読取面を下にした読取媒体をこれに載置する。一方、下ケース１６は、上面を開放した浅い箱状に形成されている。下ケース１６の前部底面には、後述のセンサーキャリッジ３２の移動スペースとなる許容凹部２３が凹設され、後部底面には、一端が後述のセンサーユニット３１に接続されたケーブル（図示省略）を収容する収容凹部２５が凹設されている。
【００２５】
図４に示すように、画像読取部１２は、ラインセンサー方式のセンサーユニット３１と、センサーユニット３１を搭載したセンサーキャリッジ３２と、Ｙ軸方向に延在し、センサーキャリッジ３２をスライド自在に支持するガイド軸３３と、センサーキャリッジ３２をガイド軸３３に沿って移動する自走式のセンサー移動機構３４と、を備えている。センサーユニット３１は、Ｘ軸方向に延在したＣＣＤ（Ｃｈａｒｇｅ  Ｃｏｕｐｌｅｄ  Ｄｅｖｉｃｅ）ラインセンサーであるイメージセンサー４１を有し、モーター駆動のセンサー移動機構３４により、ガイド軸３３に沿ってＹ軸方向に往復動する。これにより、原稿載置板２１上の読取部材（原稿）の画像を読み取るようになっている。
【００２６】
一方、図２に示すように、プリンターユニット２は、枚葉の記録媒体（印刷用紙や単票紙）を送り経路Ｒに沿って送る搬送部６１と、送り経路Ｒの上方に配設され、記録媒体にインクジェット方式で印刷処理を行う印刷部６２と、前面に配設されたパネル形式の操作部６３と、搬送部６１、印刷部６２および操作部６３を搭載した装置フレーム６４と、これらを覆う装置ハウジング６５と、を備えている。また、図示省略するが、後面下部には、ＵＳＢポートおよび電源ポートが配設されている。すなわち、複合機１は、ＵＳＢポートを介してコンピューター等に接続可能に構成されている。なお、本プリンターユニット２では、Ｘ軸方向を記録媒体の送り方向（副走査方向）とし、これに直交するＹ軸方向を、インクジェットヘッド８３の主走査方向としている。
【００２７】
図５は、プリンターユニット２の内部構造を示した平面図である。図６は、プリンターユニット２の内部構造を示した側面視断面図である。図２、図５および図６に示すように、印刷部６２は、装置フレーム６４に支持されると共にＹ軸方向に幅一杯に延在する板金製のガイドフレーム７１と、ガイドフレーム７１に往復動自在に支持されたキャリッジユニット７２と、キャリッジユニット７２をガイドフレーム７１に沿って往復動させるキャリッジ移動機構７３（図２参照）と、を備えている。そして、このキャリッジユニット７２に、インクジェットヘッド８３が搭載されている。
【００２８】
ガイドフレーム７１は、断面「Ｃ」字状に形成されており、その上下でキャリッジユニット７２の係合スライダー部８１ａが係合する。これにより、キャリッジユニット７２は、ガイドフレーム７１に掛け止めされるようにして片持ちで且つ延在方向（Ｙ軸方向）に往復動自在に、すなわちスライド自在に支持されている。キャリッジ移動機構７３は、ガイドフレーム７１に沿って延在するタイミングベルト７６と、タイミングベルト７６を架け渡した主動プーリ（図示省略）および従動プーリ７８と、タイミングベルト７６とキャリッジユニット７２（キャリッジ８１）とを連結する連結固定部（図示省略）と、主動プーリを駆動するキャリッジモーター（図示省略）と、を備えている。キャリッジモーターが正逆回転すると、タイミングベルト７６を介してキャリッジユニット７２がＹ軸方向（左右方向）に往復動する。この往復動に伴って、キャリッジユニット７２のインクジェットヘッド８３が吐出駆動することにより、いわゆる主走査が行われる。
【００２９】
図５および図６に示すように、キャリッジユニット７２は、係合スライダー部８１ａを介してガイドフレーム７１に往復動自在に支持された箱状のキャリッジ８１と、キャリッジ８１の下面に一体に組み込まれたインクジェットヘッド（画像記録手段）８３と、キャリッジ８１に着脱自在に収納された４個のインクカートリッジ８４と、を備えている。インクジェットヘッド８３は、４色のインク滴を吐出する４連のノズル列（図示省略）を有しており、４色のインクを貯留する４個のインクカートリッジ８４をキャリッジ８１に装着することで、インクジェットヘッド８３に上側から直接接続される。インクジェットヘッド８３の４つのノズル列は、相互に並行に且つＸ軸方向に延在し、送られる記録媒体に対し所定のペーパーギャップを存して下向きに配設されている。
【００３０】
図６に示すように、搬送部６１は、記録媒体を右揃えでセットする可動式の用紙トレイ９１と、用紙トレイ９１から記録媒体を１枚ずつ分離して送り出す分離ローラー９２と、分離ローラー９２の下流側に位置し、記録媒体を送り経路Ｒに沿って印刷部６２に送り込む給紙ローラー９３と、給紙ローラー９３の下流側に位置し、インクジェットヘッド８３に対面する媒体規制部材（媒体規制手段：プラテンに相当する部材）９５と、媒体規制部材９５の下流側に位置する鋸歯状のガイドローラー９７と、ガイドローラー９７の下流側に位置し、排出口１００（図２参照）から記録媒体を送り出す排紙ローラー９６と、を備えている。
【００３１】
分離ローラー９２により、用紙トレイ９１から送り込まれた記録媒体は、給紙ローラー９３により、媒体規制部材９５上を排紙ローラー９６に向かってＸ軸方向に間欠送りされる（副走査）。この間欠送りに同期して、キャリッジユニット７２がＸ軸方向に往復動しながらインクを選択的に吐出して（主走査）、所望の印刷が行われる。一方、媒体規制部材９５を越えてガイドローラー９７に達した記録媒体の先端は、ガイドローラー９７により上反り状態を矯正されるようにして、排紙ローラー９６に送り込まれる。このようにして、印刷が完了した記録媒体は、排紙ローラー９６により、排出口１００から前方に送り出される。
【００３２】
以下、図５ないし図８を参照して、搬送部６１およびこれを支持する装置フレーム６４について、詳細に説明する。まず、搬送部６１の各部について説明する。
図６に示すように、給紙ローラー９３は、下側の給紙駆動ローラー９３ａと上側の給紙従動ローラー９３ｂとから成るニップローラーで構成され、記録媒体の送り（副走査）を制御するメインローラーとして機能する。給紙駆動ローラー９３ａは、送り経路Ｒの下側に面して配設され、記録媒体の非記録面側に転接する駆動ローラーで構成されている。一方、給紙従動ローラー９３ｂは、送り経路Ｒの上側に面して配設され、記録媒体の記録面側に転接する従動ローラーで構成されている。そして、給紙駆動ローラー９３ａは、排紙ローラー９６と共通の駆動源によりギア列を介して回転し、記録媒体を媒体規制部材９５に送る。
【００３３】
図７は、媒体規制部材９５周りを示した斜視図である。図８は、媒体規制部材９５周りを示した分解斜視図である。図７および図８に示すように、媒体規制部材９５は、インクジェットヘッド８３に対し送り経路Ｒを挟んで対面し、インクジェットヘッド８３との間に所定の間隔（ペーパーギャップ）を存するように記録媒体を位置規制する。具体的には、媒体規制部材９５は、Ｙ軸方向に延在した板状部材１０１と、板状部材１０１の表面に広く凹設した浅溝部１０２と、浅溝部１０２の底面に分散するように立設され、記録媒体の高さ位置を規制する複数の規制片１０３と、複数の規制片１０３を避けて浅溝部１０２に敷設したインク吸収材１０４と、浅溝部１０２の送り方向前後に立設し、記録媒体を複数の規制片１０３にガイドする複数のガイド片１０５と、板状部材１０１のＹ軸方向両端部に設けられ、媒体規制部材９５を装置フレーム６４に取り付けるための左右一対の取付部１０６と、を備えている。そして、２本の固定ネジ１０７によって、一対の取付部１０６を、装置フレーム６４（後述の一対の媒体取付部１４６）にネジ止め固定することで、媒体規制部材９５が装置フレーム６４に固定される。
【００３４】
複数の規制片１０３は、その各先端部が記録媒体の非記録面に片側傾斜で接触し、一体として記録媒体の高さ位置を規制する規制面を構成している。すなわち、媒体規制部材９５は、プラテンに相当するものであり、上記規制面（プラテン面）によって、規制した記録媒体と、インクジェットヘッド８３との間を所定の間隔に維持している。インク吸収材１０４は、記録媒体から外れたインク滴を受容するものであり、いわゆる、フチ無し印刷時における記録媒体から前後および幅方向左右に外れたインク滴を受ける。
【００３５】
図６に示すように、ガイドローラー９７は、送り経路Ｒの上側に面して配設され、記録媒体の記録面側に転接する。送られてきた記録媒体は、ガイドローラー９７によって、先端を押さえられ、ジャミングすることなく、排紙ローラー９６（排紙駆動ローラー９６ａおよび排紙従動ローラー９６ｂの間）に導かれる。具体的には、図５に示すように、ガイドローラー９７は、Ｙ軸方向に並列した鋸歯状の複数の個別ガイドローラー１１４を備え、Ｙ軸方向の複数個所において記録面に点接触で転接する。
【００３６】
図６に示すように、排紙ローラー９６は、給紙ローラー９３と同様に、下側の排紙駆動ローラー（駆動ローラー）９６ａと上側の排紙従動ローラー（従動ローラー）９６ｂとから成るニップローラーで構成され、媒体規制部材９５の上側に位置する記録媒体に張力（ｔｅｎｓｉｏｎ）を付与するテンションローラーとして機能する。上述のように、排紙駆動ローラー９６ａは、給紙ローラー９３と共通の駆動源によりギア列を介して回転し、記録媒体を排出口１００に送る。
【００３７】
排紙駆動ローラー９６ａは、送り経路Ｒの下側に面して配設され、記録媒体の非記録面に転接する駆動ローラーで構成されている。具体的には、図８に示すように、排紙駆動ローラー９６ａは、Ｙ軸方向に延在するローラー軸１１１と、軸方向に相互に間隔を存してローラー軸１１１に軸着した複数のローラー本体１１２と、を備えている。
【００３８】
一方、排紙従動ローラー９６ｂは、送り経路Ｒの上側に面して配設され、記録媒体の記録面に転接する従動ローラーで構成されている。具体的には、排紙従動ローラー９６ｂは、Ｙ軸方向に並列した鋸歯状の複数の個別ローラー１１５を備え、Ｙ軸方向の複数個所において記録面に点接触で転接する。
【００３９】
また、フリーローラーであるガイドローラー９７および排紙従動ローラー９６ｂは、装置フレーム６４とは独立のローラーフレーム１１３に支持されて、ローラーアッセンブリー９９を構成している。厳密には、複数の個別ガイドローラー１１４と、複数の個別ローラー１１５と、がローラーフレーム１１３に回転自在に支持されている。なお、請求項にいう媒体送り手段は、排紙駆動ローラー９６ａおよびローラーアッセンブリー９９により、構成されている。
【００４０】
ローラーフレーム１１３は、複数の個別ガイドローラー１１４を取り付けるガイドローラー取付部１１６と、ガイドローラー取付部１１６の下流側に配設され、複数の個別ローラー１１５を取り付ける個別ローラー取付部１１７と、幅方向両端に配設され、ローラーフレーム１１３を装置フレーム６４に取り付けるための左右一対の端取付部１１８と、で一体に形成されている。２本の取付ネジ１１９によって、一対の端取付部１１８を、装置フレーム６４（後述の一対のアッセンブリー取付部１３４）にネジ止め固定することで、ローラーアッセンブリー９９が装置フレーム６４に固定される。また、ローラーフレーム１１３には、Ｙ軸方向に延在した複数の補強リブ１１３ａが形成されている。
【００４１】
次に、図７を参照して、装置フレーム６４について説明する。図７に示すように、装置フレーム６４は、プリンターユニット２の各部を支持するフレームであり、一体成形された樹脂で構成されている。具体的には、装置フレーム６４は、ベースフレーム部６４ａと、ベースフレーム部６４ａに立設され、搬送部６１の各構成部材およびガイドフレーム７１を両側で支持する左右一対のサイドフレーム部６４ｂと、ベースフレーム部６４ａの前部において、スキャナーユニット３の前部を支持すると共に操作部６３を支持する左右一対のフロントフレーム部６４ｃと、ベースフレーム部６４ａの後部において、ヒンジ部４を介してプリンターユニット２を開閉自在に支持する左右一対のリアフレーム部６４ｄと、を備えている。
【００４２】
一対のサイドフレーム部６４ｂは、ガイドフレーム７１を両持ちで支持する左右のガイドフレーム支持部１３１と、給紙駆動ローラー９３ａを両持ちで回転自在に支持する左右一対の給紙ローラー支持部１３２と、ローラーアッセンブリー９９を取り付ける左右一対のアッセンブリー取付部１３４と、排紙駆動ローラー９６ａを両持ちで回転自在に支持する左右一対の排紙ローラー支持部１３５と、を備えている。
【００４３】
一対のアッセンブリー取付部１３４は、ベースフレーム部６４ａから立設し、ローラーフレーム１１３を所定の高さに両持ちで支持している。ローラーフレーム１１３を、一対のアッセンブリー取付部１３４に上側からネジ止め固定することで、ローラーアッセンブリー９９が、Ｙ軸方向の両端部で装置フレーム６４に取り付けられる。
【００４４】
ベースフレーム部６４ａは、前後中央部に位置すると共に、媒体規制部材９５を配設する規制部材配設部１４１と、規制部材配設部１４１の前側に位置し、排紙駆動ローラー９６ａを左右中間位置で支持するローラー中間支持部１４２と、を有している。
【００４５】
規制部材配設部１４１は、媒体規制部材９５の一対の取付部１０６に対応して、Ｙ軸方向の両端部に配設された一対の媒体取付部１４６と、板状部材１０１との接触を避けて方形に凹設した退避凹部１４７と、退避凹部１４７の中心部に立設し、板状部材１０１の中央部を支持する中央支持部１４８と、を有している。中央支持部１４８は、円柱状の支持部本体１５１と、支持部本体１５１から十字状に延在し、支持部本体１５１を補強する十字リブ１５２と、を備えている。媒体規制部材９５を、一対の媒体取付部１４６にネジ止め固定することで、媒体規制部材９５が、Ｙ軸方向の両端部で装置フレーム６４に取り付けられる。なお、右側のアッセンブリー取付部１３４は、右側の媒体取付部１４６に対し平面視外側（右側）に配設されている。すなわち、ローラーアッセンブリー９９の右側の固定位置は、媒体規制部材９５の右側の固定位置に対し、平面視外側（右側）に配設されている。
【００４６】
ローラー中間支持部１４２は、各ローラー本体１１２の左右両側において、ローラー軸１１１を支持している。具体的には、ローラー中間支持部１４２は、ローラー本体１１２同士の各間隔においてローラー軸１１１を回転自在に支持する複数の軸受け部２２１と、左右両端のローラー本体１１２の外側において、ローラー軸１１１を回転自在に支持する軸受け板２２２と、を有している。各軸受け部２２１は、ローラー軸１１１を載置する載置部および、ローラー軸１１１の前後方向の位置を規制する前後の規制部を有している。
【００４７】
以上のような構成によれば、媒体規制部材９５と媒体送り手段（排紙駆動ローラー９６ａおよびローラーアッセンブリー９９）とを、装置フレーム６４に個別に取り付けることにより、媒体規制部材９５の取り付けが媒体送り手段に取付精度に影響を及ぼすことがなく、また媒体送り手段の取り付けが媒体規制部材９５の取付精度に影響を及ぼすことがない（無用な撓み等が生ずることがない）。すなわち、媒体規制部材９５と媒体送り手段とを、相互に影響を及ぼすことなく、精度良く取り付けることができる。特に、媒体規制部材９５を精度良く取り付けることで、インクジェットヘッド８３と媒体規制部材９５との間の間隔（ギャップ）を安定させることができ、所望の記録品質を高く維持することができる。
【００４８】
また、媒体送り手段として、排紙駆動ローラー９６ａおよび、排紙従動ローラー９６ｂを支持するローラーアッセンブリー９９を、媒体規制部材９５とは別個に取り付けるため、排紙駆動ローラー９６ａを装置フレーム６４に精度良く取り付けることができるだけでなく、排紙駆動ローラー９６ａに対し排紙従動ローラー９６ｂを精度良く取り付けることができる。したがって、記録媒体の斜行等を有効に防止することができる。
【００４９】
さらに、ローラーアッセンブリー９９にガイドローラー９７を設けることで、湿潤した記録媒体の紙詰まりを抑制し、記録媒体を適切に排出することができる。また、ガイドローラー９７を含んでアッセンブリー化することで、ガイドローラー９７と排紙従動ローラー９６ｂとの相互間の位置精度を向上させることができる。
【００５０】
またさらに、複数の軸受け部２２１を有することで、ローラー軸１１１を、複数箇所で回転自在に支持することができるため、複数のローラー本体１１２をブレ無く回転させることができ、記録媒体を適切に送り出すことができる。また、装置フレーム６４が軸受け部２２１を有しているため、部品点数を削減することできると共に、この部分の構造を単純化することができる。加えて、装置フレーム６４を、一体成形された樹脂で構成することで、複数の軸受け部２２１を、簡単且つ精度良く形成することができる。
【００５１】
また、媒体規制部材９５の固定位置に対し、ローラーアッセンブリー９９の固定位置の一方が外側に位置していることで、媒体規制部材９５の固定位置と、ローラーアッセンブリー９９の固定位置とを、送り方向に直交する方向（Ｙ軸方向）に位置ズレさせることができるため、ローラーアッセンブリー９９の取付けによる媒体規制部材９５への影響を、更に抑制することができる。また、媒体規制部材９５の固定位置を、内側に位置させるので、外側に位置させるのに対し媒体規制部材９５の剛性を向上することができ、規制面の歪みを抑制することができる。なお、本実施形態においては、ローラーアッセンブリー９９における固定位置の一方のみが、媒体規制部材９５の固定位置に対し外側に位置する構成としたが、ローラーアッセンブリー９９の両方の固定位置が、媒体規制部材９５の固定位置に対し外側に位置する構成であっても良い。
【００５２】
なお、本実施形態において、排紙駆動ローラー９６ａおよびローラーアッセンブリー９９を、更にアッセンブリー化し、媒体送り手段として、媒体規制部材９５と個別に取り付ける構成であっても良い。またローラーアッセンブリー９９のみを、媒体送り手段として、媒体規制部材９５と個別に取り付ける構成であっても良いし、排紙従動ローラー９６ｂのみ、ガイドローラー９７のみを、媒体送り手段として、媒体規制部材９５と個別に取り付ける構成であっても良い。
【００５３】
また、本実施形態においては、プリンターユニット２およびスキャナーユニット３を一体に備えた複合機１に、本願発明を適用したが、プリンターユニット２単体の画像記録装置に、本願発明を適用しても良い。
【符号の説明】
【００５４】
１：複合機、  ２：プリンターユニット、  ３：スキャナーユニット、  ６４：装置フレーム、  ８３：インクジェットヘッド、  ９５：媒体規制部材、  ９６ａ：排紙駆動ローラー、  ９６ｂ：排紙従動ローラー、  ９７：ガイドローラー、  ９９：ローラーアッセンブリー、  １１１：ローラー軸、  １１２：ローラー本体、  １１３：ローラーフレーム、  ２２１：軸受け部、  Ｒ：送り経路
【図１】
2012101501.tif 000003
【図２】
2012101501.tif 000004
【図３】
2012101501.tif 000005
【図４】
2012101501.tif 000006
【図５】
2012101501.tif 000007
【図６】
2012101501.tif 000008
【図７】
2012101501.tif 000009
【図８】
2012101501.tif 000010